(57)【要約】【課題】  本発明は自転車の前篭あるいは後篭が見苦しくなったり、内部に収納した物品が見えなくなったりするのを確実に防止できるとともに、引ったくり等の盗難を効率よく阻止することができ、汚れずらく、楽に使用することができる自転車の前篭あるいは後篭および自転車の前篭あるいは後篭のカバーを得るにある。【解決手段】  自転車の前篭あるいは後篭本体の後部上方あるいは前篭あるいは後篭の前部に固定された円筒状のケース体と、このケース体に形成された開口部と、ケース体内に常時巻き取り収納できるように付勢された少なくとも1個以上のカバー紐巻き取り装置と、このカバー紐巻き取り装置に後端部が巻き取られ、先端部が前記開口部より外方に突出し、前篭あるいは後篭本体の前部、前篭あるいは後篭本体の後部上方あるいはハンドルに係止されるフックが取付けられた複数本のカバー紐とで自転車の前篭あるいは後篭を構成している。【選択図】  図１
2009208585.tif 000002
【特許請求の範囲】
【請求項１】
自転車の前篭あるいは後篭本体の後部上方あるいは前篭あるいは後篭の前部に固定された円筒状のケース体と、このケース体に形成された開口部と、前記ケース体内に常時巻き取り収納できるように付勢された少なくとも1個以上のカバー紐巻き取り装置と、このカバー紐巻き取り装置に後端部が巻き取られ、先端部が前記開口部より外方に突出し、前記前篭あるいは後篭本体の前部、前篭あるいは後篭本体の後部上方あるいはハンドルに係止されるフックが取付けられた複数本のカバー紐とで構成されていることを特徴とする自転車の篭。
【請求項２】
自転車の前篭あるいは後篭本体の後部上方、ハンドルあるいは前篭あるいは後篭本体の前部に固定される円筒状のケース体と、このケース体に形成された開口部と、前記ケース体内に常時巻き取り収納できるように付勢された少なくとも1個以上のカバー紐巻き取り装置と、このカバー紐巻き取り装置に後端部が巻き取られ、先端部が前記開口部より外方に突出し、前記前篭あるいは後篭本体の前部、前篭あるいは後篭本体の後部上方あるいはハンドルに係止されるフックが取付けられた複数本のカバー紐とで構成されていることを特徴とする自転車の篭のカバー。
【請求項３】
カバー紐巻き取り装置は所定間隔でカバー紐を巻き付ける凹部が形成されたケース体内で回転可能な回転軸と、この回転軸を常時カバー紐を巻き付ける方向に付勢することができる一端部が該回転軸に固定され、他端部がケース体に固定された渦巻きスプリングやコイルスプリング等の付勢スプリングとで構成されていることを特徴とする請求項２記載の自転車の篭のカバー。
【請求項４】
ケース体に形成された開口部は複数本のカバー紐が通過できるように所定間隔で形成された透孔であるとともに、複数本のカバー紐はゴム紐であることを特徴とする請求項２記載の自転車の篭のカバー。
【発明の詳細な説明】
【技術分野】
【０００１】
本発明は自転車の前篭あるいは後篭の上部開口部を、引ったくりの盗難を防止できるように覆うことができる自転車の前篭あるいは後篭および自転車の前篭あるいは後篭のカバーに関する。
【背景技術】
【０００２】
従来のこの種の自転車の前篭のカバーは、前篭の開口部を開閉可能に覆うことができるカバー布をロールカーテン状に収納できるように構成されている。
【０００３】
このため、自転車の前篭がカバーによって見苦しくなったり、前篭内に収納されたものが見えず、忘れ物をしやすいという欠点があるとともに、前篭の開口部より突出する物品を収納した場合、使用できなかったり、カバー布が大きく、汚れやすいという欠点があった。
【特許文献１】特開平１０−８１２７８
【発明の開示】
【発明が解決しようとする課題】
【０００４】
本発明は以上のような従来の欠点に鑑み、自転車の前篭あるいは後篭が見苦しくなったり、内部に収納した物品が見えなくなったりするのを確実に防止できるとともに、引ったくり等の盗難を効率よく阻止することができ、汚れずらく、楽に使用することができる自転車の前篭あるいは後篭および自転車の前篭あるいは後篭のカバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は自転車の前篭あるいは後篭本体の後部上方あるいは前篭あるいは後篭の前部に固定された円筒状のケース体と、このケース体に形成された開口部と、前記ケース体内に常時巻き取り収納できるように付勢された少なくとも1個以上のカバー紐巻き取り装置と、このカバー紐巻き取り装置に後端部が巻き取られ、先端部が前記開口部より外方に突出し、前記前篭あるいは後篭本体の前部、前篭あるいは後篭本体の後部上方あるいはハンドルに係止されるフックが取付けられた複数本のカバー紐とで自転車の篭を構成している。
【０００７】
本発明は自転車の前篭あるいは後篭本体の後部上方、ハンドルあるいは前篭あるいは後篭本体の前部に固定される円筒状のケース体と、このケース体に形成された開口部と、前記ケース体内に常時巻き取り収納できるように付勢された少なくとも1個以上のカバー紐巻き取り装置と、このカバー紐巻き取り装置に後端部が巻き取られ、先端部が前記開口部より外方に突出し、前記前篭あるいは後篭本体の前部、前篭あるいは後篭本体の後部上方あるいはハンドルに係止されるフックが取付けられた複数本のカバー紐とで自転車の篭のカバーを構成している。
【発明の効果】
【０００８】
以上の説明から明らかなように、本発明にあっては次に列挙する効果が得られる。
【０００９】
（１）自転車の前篭あるいは後篭本体の後部上方あるいは前篭あるいは後篭の前部に固定された円筒状のケース体と、このケース体に形成された開口部と、前記ケース体内に常時巻き取り収納できるように付勢された少なくとも1個以上のカバー紐巻き取り装置と、このカバー紐巻き取り装置に後端部が巻き取られ、先端部が前記開口部より外方に突出し、前記前篭あるいは後篭本体の前部、前篭あるいは後篭本体の後部上方あるいはハンドルに係止されるフックが取付けられた複数本のカバー紐とで構成されているので、自転車の前篭あるいは後篭本体の開口部を複数本のカバー紐で覆うことができる。
このため、引ったくりによる盗難を、複数本のカバー紐で防止することができる。
【００１０】
（２）前記（１）によって、前篭あるいは後篭本体の開口部は複数本のカバー紐で覆われているので、前篭あるいは後篭本体内に収納した物品をそのまま見ることができ、忘れ物をするのを効率よく防止することができる。
【００１１】
（３）前記（１）によって、前篭あるいは後篭の開口部を覆う複数本のカバー紐は、カバー紐巻き取り装置で常時巻き取り方向に付勢されているので、前篭あるいは後篭本体内に収納した物品が開口部より突出していても、容易に取付けて使用することができる。
【００１２】
（４）前記（１）により、複数本のカバー紐で前篭あるいは後篭本体の開口部を覆うので、カバーが汚れたりするのを効率よく防止でき、見苦しくなったりするのを確実に防止することができる。
【００１３】
（５）請求項２は前記（１）〜（４）と同様な効果が得られる。
【００１４】
（６）請求項３前記（１）〜（４）と同様な効果が得られるとともに、複数本のカバー紐は回転軸に所定間隔で形成された凹部に巻き取られるので、均等に複数本のカバー紐を配置でき、美観の向上や、均一なカバーを図ることができる。
【００１５】
（７）請求項４前記（１）〜（５）と同様な効果が得られるとともに、複数本のカバー紐はゴム紐であるので、前篭あるいは後篭の開口部より突出する物品を収納しても、開口部より突出した部分を避けて位置し、確実にカバーすることができる。
【発明を実施するための最良の形態】
【００１６】
以下、図面に示す本発明を実施するための最良の形態により、本発明を詳細に説明する。
【００１７】
図１ないし図６に示す本発明を実施するための最良の第１の形態において、１は本発明の自転車２のメッシュ材や格子材を用いて構成された前篭本体３に、収納した物品を引ったくりからの盗難を防止することができる自転車の前篭で、この自転車の前篭１は前記前篭本体３の後部上端にベルト等の取付け具４、４で両端部が固定される円筒状のケース体５と、このケース体５の軸心方向に該ケース体５に形成された細長い開口部６と、前記ケース体５内に回転可能に取付けられた所定間隔でカバー紐巻き付け凹部７、７、７、７、７が形成された回転軸８、この回転軸８を常時巻き取り方向に付勢する一端が前記回転軸８の一端部に固定され、他端部が前記ケース体５に固定された渦巻きスプリングやコイルスプリング等の付勢スプリング９とからなるカバー紐巻き取り装置１０と、前記回転軸８のカバー紐巻き付け凹部７、７、７、７、７に一端部が固定され、他端部が該カバー紐巻き付け凹部７、７、７、７、７に巻き付けられた後、前記開口部６よりケース体５外へ突出し、フック１１に固定されたゴム紐を用いた複数本のカバー紐１２、１２、１２、１２、１２とで構成されている。  
【００１８】
上記構成の自転車の前篭１は、自転車の前篭本体３の後部上端部に開口部６が前方に位置するように、自転車の前篭のカバー１３のケース体５の両端部を取付け具４、４で固定する。
この状態で、複数本のカバー紐１２、１２、１２、１２、１２はカバー紐巻き取り装置１０の付勢スプリング９の付勢力によって、回転軸８のカバー紐巻き付け凹部７、７、７、７、７に巻き付けられ、フック１１がケース体５の外側に位置している。
【００１９】
自転車の前篭１に物品を収納した場合、フック１１を引っ張ると複数本のカバー紐１２、１２、１２、１２、１２は回転軸８より引き出され、前篭本体３の上部を覆うようにフック１１を前篭本体３の前部に係止させる。
この状態で前篭本体３の上部開口部６に複数本のカバー紐１２、１２、１２、１２、１２がわたされた状態となり、内部に収納した物品が飛び出したりするのを効率よく防止できるとともに、引ったくり犯が前篭本体３内へ手を入れて、該前篭本体３に収納された物品を取り出すのを効率よく防止することができる。
また、前篭本体３の開口部６より突出する物品を収納しても、複数本のカバー紐１２、１２、１２、１２、１２によって、突出部を避けてカバー紐１２、１２、１２、１２、１２を配置できるとともに、前篭本体３内に収納された物品が複数本のカバー紐１２、１２、１２、１２、１２で覆われているため、前篭本体３に収納した物品を忘れたりするのを効率よく防止することができる。
[発明を実施するための異なる形態]
【００２０】
次に、図７ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図７ないし図９に示す本発明を実施するための第２の形態において、前記本発明を実施するための最良の第１の形態と主に異なる点は、前篭本体３の前部上方へケース体５を取付け具４、４で固定するとともに、前篭本体３の後部上方あるいはハンドル１４の中央部に係止することができるフック１１Ａを用いた点で、このように構成した自転車の前篭のカバー１３Ａを用いた自転車の前篭１Ａにしても、前記本発明を実施するための最良の第１の形態と同様な作用効果が得られる。
【００２２】
図１０ないし図１４に示す本発明を実施するための第３の形態において、前記本発明を実施するための最良の第１の形態と主に異なる点は、ケース体５に所定間隔で円形透孔の開口部６Ａ、６Ａ、６Ａ、６Ａ、６Ａを形成するとともに、ケース体５内の中心部に固定された軸１５、この軸１５に所定間隔で回転可能に取付けられたカバー紐巻き付けリール１６、１６、１６、１６、１６、このカバー紐巻き付けリール１６、１６、１６、１６、１６を常時巻き付け方向に付勢する一端部がカバー紐巻き付けリール１６、１６、１６、１６、１６に固定され、他端部が前記軸１５に固定された渦巻きスプリングやコイルスプリング等の付勢スプリング９Ａ、９Ａ、９Ａ、９Ａ、９Ａとからなるカバー紐巻き取り装置１０Ａと、このカバー紐巻き取り装置１０Ａのカバー紐巻き付けリール１６、１６、１６、１６、１６に一端部が固定されて巻き付けられた紐、チェーン、ワイヤ等のカバー紐１２Ａ、１２Ａ、１２Ａ、１２Ａ、１２Ａとを用いた点で、このように構成した自転車の前篭のカバー１３Ｂを用いた自転車の前篭１Ｂにしても、前記本発明を実施するための最良の第１の形態と同様な作用効果が得られる。
【００２３】
図１５ないし図１７に示す本発明を実施するための第４の形態において、前記本発明を実施するための最良の第１の形態と主に異なる点は、カバー紐１２、１２、１２、１２、１２の先端部を所定間隔で固定された中央部にフック１１が取付けられたフック取付け具１７を用いた点で、このようなフック取付け具１７を用いた自転車の前篭のカバー１３Ｃを使用する自転車の前篭１Ｃにしても、前記本発明を実施するための最良の第１の形態と同様な作用効果が得られるとともに、前篭本体３の開口部６をほぼ均等に複数本のカバー紐１２、１２、１２、１２、１２で覆うことができる。
【００２４】
なお、前記本発明の実施の形態では前篭本体３にベルト等の取付け具４、４を用いて円筒状のケース体５を固定するものに付いて説明したが、本発明はこれに限らず、前篭本体３に円筒状のケース体５を溶接や接着剤で固定した前篭にしても良い。
また、前記本発明の各実施の形態では自転車の前篭に付いて説明したが、本発明はこれに限らず、自転車の後部に取付けられている後篭に付いても、図面を用いて説明するまでもなく同様に実施することができる。
【産業上の利用可能性】
【００２５】
本発明は自転車の前篭あるいは後篭および自転車の前篭あるいは後篭のカバーを製造する産業で利用される。
【図面の簡単な説明】
【００２６】
【図１】本発明を実施するための最良の第１の形態の使用状態の側面図。
【図２】本発明を実施するための最良の第１の形態の使用状態の斜視図。
【図３】自転車の前篭のカバーの平面図。
【図４】自転車の前篭のカバーの側面図。
【図５】図３の５−５線に沿う断面図。
【図６】複数本のカバー紐を引き出した状態の平面図。
【図７】本発明を実施するための第２の形態の使用状態の側面図。
【図８】本発明を実施するための第２の形態の使用状態の斜視図。
【図９】複数本のカバー紐を引き出した状態の平面図。
【図１０】本発明を実施するための第３の形態の使用状態の側面図。
【図１１】本発明を実施するための第３の形態の使用状態の斜視図。
【図１２】自転車の前篭のカバーの平面図。
【図１３】図１２の１３−１３線に沿う断面図。
【図１４】図１２の１４−１４線に沿う断面図。
【図１５】本発明を実施するための第４の形態の使用状態の側面図。
【図１６】本発明を実施するための第４の形態の使用状態の平面図。
【図１７】自転車の前篭のカバーの紐を引き出した状態の平面図。
【符号の説明】
【００２７】
１、１Ａ、１Ｂ、１Ｃ：自転車の前篭、
２：自転車、                  ３：前篭本体、
４：取付け具、                ５：ケース体、        
６、６Ａ：開口部、            ７：カバー紐巻き付け凹部、
８：回転軸、                  ９、９Ａ：付勢スプリング、
１０、１０Ａ：カバー紐巻き取り装置、
１１、１１Ａ：フック、        １２、１２Ａ：カバー紐、
１３、１３Ａ、１３Ｂ、１３Ｃ：自転車の前篭のカバー、
１４：ハンドル、              １５：軸、
１６：カバー紐巻き付けリール、１７：フック取付け具。
【図１】
2009208585.tif 000003
【図２】
2009208585.tif 000004
【図３】
2009208585.tif 000005
【図４】
2009208585.tif 000006
【図５】
2009208585.tif 000007
【図６】
2009208585.tif 000008
【図７】
2009208585.tif 000009
【図８】
2009208585.tif 000010
【図９】
2009208585.tif 000011
【図１０】
2009208585.tif 000012
【図１１】
2009208585.tif 000013
【図１２】
2009208585.tif 000014
【図１３】
2009208585.tif 000015
【図１４】
2009208585.tif 000016
【図１５】
2009208585.tif 000017
【図１６】
2009208585.tif 000018
【図１７】
2009208585.tif 000019